(57)【要約】  【課題】  洗い具ホルダーなどの種々の洗浄用スポンジホルダーが、知られている。しかしながら、従来の洗浄用スポンジホルダーは、スペースの余裕がないことが普通である家庭の流し台または洗面台などでは邪魔になりやすい。  【解決手段】  洗浄用スポンジが面着されるフック型の面ファスナー２００と、面ファスナー２００が貼付される面ファスナー貼付部３１０を一方の側に有し、シンク壁面に吸着する吸盤部３２０を他方の側に有する本体３００と、を備えることを特徴とする洗浄用スポンジホルダー１００である。【選択図】  図３
2016168113.tif 000002
【特許請求の範囲】
【請求項１】
洗浄用スポンジが面着されるフック型の面ファスナーと、
前記面ファスナーが貼付される面ファスナー貼付部を一方の側に有し、対象物に吸着する吸盤部を他方の側に有する本体と、
を備えることを特徴とする洗浄用スポンジホルダー。
【請求項２】
前記面ファスナーの、前記洗浄用スポンジが面着される面着面の表面状態は、前記面着面の領域ごとに異なることを特徴とする、請求項１に記載の洗浄用スポンジホルダー。
【請求項３】
前記面ファスナー貼付部の形状は、平面形状または凹面形状であることを特徴とする、請求項１または２に記載の洗浄用スポンジホルダー。
【請求項４】
前記面ファスナー貼付部と、前記吸盤部と、は、脱着自在であって、
前記面ファスナー貼付部は、雄型部分を有し、
前記吸盤部は、前記雄型部分が挿入される雌型部分を有し、
前記雌型部分は、前記吸盤部の、前記対象物に吸着した吸着面に垂直な縦穴、または前記吸盤部の、前記対象物に吸着した前記吸着面に平行な横孔であることを特徴とする、請求項１から３の何れかに記載の洗浄用スポンジホルダー。
【発明の詳細な説明】
【技術分野】
【０００１】
本発明は、家庭などで使用される通常の洗浄用スポンジの洗浄用スポンジホルダーに関する。
【背景技術】
【０００２】
洗浄用スポンジの洗浄用スポンジホルダーは、家庭の流し台または洗面台などでしばしば利用されるユーティリティである。
【０００３】
そこで、洗い具ホルダーなどの種々の洗浄用スポンジホルダーが、知られている（たとえば、特許文献１参照）。
【０００４】
このような従来の洗浄用スポンジホルダーは、吸盤にて台所シンクの壁面に吸着支持されるベース部材に２本以上のアームを突設して形成され、アームは、スポンジタワシ等の変形自由な食器洗い具を変形させて挟みつけることができる間隔を存して設けられている。
【先行技術文献】
【特許文献】
【０００５】
【特許文献１】特開２００２−０００４７５号公報
【発明の概要】
【発明が解決しようとする課題】
【０００６】
しかしながら、前述された従来の洗浄用スポンジホルダーは、スペースの余裕がないことが普通である家庭の流し台または洗面台などでは邪魔になりやすい。
【０００７】
そのため、本発明者は、洗浄用スポンジホルダーにおいてはよりコンパクトな構成を実現することが望ましいと考えている。
【０００８】
本発明は、前述された従来の課題を考慮し、よりコンパクトな構成を実現することが可能な洗浄用スポンジホルダーを提供することを目的とする。
【課題を解決するための手段】
【０００９】
第１の本発明は、洗浄用スポンジが面着されるフック型の面ファスナーと、
前記面ファスナーが貼付される面ファスナー貼付部を一方の側に有し、対象物に吸着する吸盤部を他方の側に有する本体と、
を備えることを特徴とする洗浄用スポンジホルダーである。
【００１０】
第２の本発明は、前記面ファスナーの、前記洗浄用スポンジが面着される面着面の表面状態は、前記面着面の領域ごとに異なることを特徴とする、第１の本発明の洗浄用スポンジホルダーである。
【００１１】
第３の本発明は、前記面ファスナー貼付部の形状は、平面形状または凹面形状であることを特徴とする、第１または第２の本発明の洗浄用スポンジホルダーである。
【００１２】
第４の本発明は、前記面ファスナー貼付部と、前記吸盤部と、は、脱着自在であって、
前記面ファスナー貼付部は、雄型部分を有し、
前記吸盤部は、前記雄型部分が挿入される雌型部分を有し、
前記雌型部分は、前記吸盤部の、前記対象物に吸着した吸着面に垂直な縦穴、または前記吸盤部の、前記対象物に吸着した前記吸着面に平行な横孔であることを特徴とする、第１から第３の何れかの本発明の洗浄用スポンジホルダーである。
【発明の効果】
【００１３】
本発明によって、よりコンパクトな構成を実現することが可能な洗浄用スポンジホルダーを提供することができる。
【図面の簡単な説明】
【００１４】
【図１】本発明における実施の形態１の洗浄用スポンジホルダーの模式的な斜視図
【図２】本発明における実施の形態１の洗浄用スポンジホルダーの模式的な正面図
【図３】本発明における実施の形態１の洗浄用スポンジホルダーの模式的な分解斜視図
【図４】本発明における実施の形態１の別の洗浄用スポンジホルダー（その一）の模式的な斜視図
【図５】本発明における実施の形態１の別の洗浄用スポンジホルダー（その二）の模式的な正面図
【図６】本発明における実施の形態１の別の洗浄用スポンジホルダー（その三）の模式的な正面図
【図７】本発明における実施の形態１の別の洗浄用スポンジホルダー（その四）の模式的な正面図
【図８】本発明における実施の形態２の洗浄用スポンジホルダーの模式的な斜視図
【図９】本発明における実施の形態２の洗浄用スポンジホルダーの模式的な正面図
【図１０】本発明における実施の形態２の洗浄用スポンジホルダーの模式的な分解斜視図
【図１１】本発明における実施の形態２の別の洗浄用スポンジホルダー（その一）の模式的な正面図
【図１２】本発明における実施の形態２の別の洗浄用スポンジホルダー（その二）の模式的な正面図
【図１３】本発明における実施の形態３の洗浄用スポンジホルダーの模式的な斜視図
【図１４】本発明における実施の形態３の別の洗浄用スポンジホルダーの模式的な斜視図
【発明を実施するための形態】
【００１５】
以下、図面を参照しながら、本発明における実施の形態について詳細に説明する。
【００１６】
（実施の形態１）
はじめに、図１〜３を参照しながら、本実施の形態の洗浄用スポンジホルダー１００について具体的に説明する。
【００１７】
ここに、図１は、本発明における実施の形態１の洗浄用スポンジホルダー１００の模式的な斜視図であり、図２は、本発明における実施の形態１の洗浄用スポンジホルダー１００の模式的な正面図であり、図３は、本発明における実施の形態１の洗浄用スポンジホルダー１００の模式的な分解斜視図である。
【００１８】
図１および２には、洗浄用スポンジホルダー１００がすでに使用されている組立て後の状態が示されており、図３には、洗浄用スポンジホルダー１００がまだ使用されていない組立て前の状態が示されている。
【００１９】
そして、理解が容易になるように、図２および３においては、隠れている部分を破線で示している。
【００２０】
洗浄用スポンジホルダー１００は、フック型の面ファスナー２００と、本体３００と、を備える。
【００２１】
面ファスナー２００は、洗浄用スポンジ１０が面着される、洗浄用スポンジホルダー１００の第一の構成要素である。
【００２２】
面ファスナー２００は、たとえば、フック状に起毛されたフック型テープと、ループ状に起毛されたループ型テープと、が一組で使用されるマジックテープ（登録商標）のフック型テープなどを利用して構成される。
【００２３】
家庭などで使用される通常の洗浄用スポンジ１０は、略平板状であり、一方の側の層が、茶碗などの陶器製品またはグラスなどのガラス製品の洗浄に適した軟質素材部２０であり、他方の側の層が、フライパンなどの鍋の洗浄に適した硬質素材部３０である。
【００２４】
したがって、軟質素材部２０の表面状態、および硬質素材部３０の表面状態は、何れも前述されたループ型テープの表面状態に極めて類似しているので、洗浄用スポンジ１０と、フック型の面ファスナー２００と、は、脱着自在である。
【００２５】
本体３００は、面ファスナー２００が貼付される面ファスナー貼付部３１０を一方の側に有し、対象物としてのシンク壁面Ｗに吸着する吸盤部３２０を他方の側に有する、洗浄用スポンジホルダー１００の第二の構成要素である。
【００２６】
本体３００は、たとえば、樹脂などを利用して構成される。
【００２７】
面ファスナー貼付部３１０は、面ファスナー貼付部分３１１と、雄型部分３１２と、を有する。
【００２８】
吸盤部３２０は、吸盤部分３２１と、雄型部分３１２が挿入される雌型部分３２２と、を有する。
【００２９】
したがって、面ファスナー貼付部３１０と、吸盤部３２０と、は、脱着自在である。
【００３０】
このような、面ファスナー貼付部３１０と、吸盤部３２０と、が脱着自在である構成には、種々の具体例が考えられる。
【００３１】
たとえば、洗浄用スポンジ１０の水切れが良化するように、面ファスナー貼付部３１０に貼付された面ファスナー２００が使用状態において鉛直面に含まれる構成が利用されてもよいし、洗浄用スポンジ１０が洗浄用スポンジホルダー１００から脱落しにくいように、面ファスナー貼付部３１０に貼付された面ファスナー２００が使用状態において鉛直面に含まれず傾斜面に含まれる、図４に示されているような構成が利用されてもよい。
【００３２】
ここに、図４は、本発明における実施の形態１の別の洗浄用スポンジホルダー１００（その一）の模式的な斜視図である。
【００３３】
図４には、洗浄用スポンジホルダー１００がすでに使用されている組立て後の状態が示されている。
【００３４】
さて、本実施の形態においては、面ファスナー貼付部３１０の形状は、平面形状であり、雌型部分３２２は、吸盤部３２０の、シンク壁面Ｗに吸着した吸着面３２０Ｆに垂直な縦穴である。
【００３５】
より具体的に説明すると、つぎの通りである。
【００３６】
まず、本実施の形態の面ファスナー貼付部３１０についてより詳細に説明する。
【００３７】
面ファスナー貼付部３１０が有する面ファスナー貼付部分３１１は、貼付される面ファスナー２００の形状および材質などに応じて形成される部分である。すなわち、面ファスナー貼付部分３１１は、平面形状である円形板状部分として構成され、同様に円形板状である面ファスナー２００が面着面２００Ｆとは反対側の裏側面で貼付される部分である。このような面ファスナー２００の貼付は、接着剤（図示省略）による固定方式の接着、または嵌め込み溝（図示省略）への交換可能方式の嵌め込みなどを利用して行われる。
【００３８】
面ファスナー貼付部３１０が有する雄型部分３１２は、面ファスナー貼付部分３１１の、面ファスナー２００が貼付される表側面とは反対側の裏側面に突設され、先端が雌型部分３２２に挿入される円柱状部分として構成される部分である。
【００３９】
つぎに、本実施の形態の吸盤部３２０についてより詳細に説明する。
【００４０】
吸盤部３２０が有する吸盤部分３２１は、吸着するシンク壁面Ｗの形状および材質などに応じて形成される部分である。すなわち、吸盤部分３２１は、シンク壁面Ｗに吸着する変形可能な略円形板状部分として構成される部分である。
【００４１】
吸盤部３２０が有する雌型部分３２２は、吸盤部分３２１の、吸着面３２０Ｆとは反対側の表側面に突設された箇所に穿孔され、シンク壁面Ｗに吸着した吸着面３２０Ｆに垂直な縦穴として構成される部分である。このような雌型部分３２２の穿孔は、樹脂成型時の凹型形成、または樹脂成型後のドリル形成などを利用して行われる。
【００４２】
以上で説明された実施の形態１の洗浄用スポンジホルダー１００は、油脂またはカビなどの除去洗浄がホルダー分解を利用して容易に行えるという顕著な効果を奏する。
【００４３】
そして、スペースの余裕がないことが普通である家庭の流し台または洗面台などで邪魔になりやすい、洗浄用スポンジ１０のステンレス製収納ケースなどを不要とし、コンパクトな構成を実現することができる。
【００４４】
なお、たとえば、図５〜７に示されているように、面ファスナー２００の、洗浄用スポンジ１０が面着される面着面２００Ｆの表面状態は、面着面２００Ｆの領域ごとに異なってもよい。
【００４５】
ここに、図５〜７は、本発明における実施の形態１の別の洗浄用スポンジホルダー１００（その二から四）の模式的な正面図である。
【００４６】
図５〜７には、洗浄用スポンジホルダー１００がすでに使用されている組立て後の状態が示されている。
【００４７】
そして、理解が容易になるように、図５〜７においては、隠れている部分を破線で示している。
【００４８】
このような、面着面２００Ｆの表面状態が面着面２００Ｆの領域ごとに異なる構成には、種々の具体例が考えられる。
【００４９】
たとえば、種々のタイプの洗浄用スポンジ１０が市販されていることを考慮して、フック型テープの起毛密度などが面着される洗浄用スポンジ１０の表面状態に最適であるように、面着面２００Ｆの表面状態が面着面２００Ｆの領域ごとに異ならせられてもよい。
【００５０】
そして、このような面着面２００Ｆの領域の個数は任意であり、無数であってもよい。たとえば、洗浄用スポンジ１０と、フック型の面ファスナー２００と、の接触面積が大きくなって、種々のタイプの洗浄用スポンジ１０が面ファスナー２００にしっかりと面着されるように、無数の領域が入り混じって混成されていてもよい。
【００５１】
さらに、洗浄用スポンジ１０が面ファスナー２００にしっかりと面着されるように、洗浄用スポンジ１０と係合する長細い部材が面着面２００Ｆに突設されていてもよい。
【００５２】
図５に示されている洗浄用スポンジホルダー１００においては、面ファスナー貼付部分３１１および面ファスナー２００は円形板状部分として構成され、面着面２００Ｆが領域Ｒ１１、Ｒ１２およびＲ１３に分割されており、領域Ｒ１１およびＲ１３の表面状態と、領域Ｒ１２の表面状態と、が異なる。
【００５３】
円形板状部分がこのように同心円状に分割される洗浄用スポンジホルダー１００においては、標準的な円形板状部分として構成される面ファスナー貼付部分３１１をそのまま採用できるので、種々の洗浄用スポンジ１０のタイプに応じた製品の多様化に迅速に対応することができる。
【００５４】
図６に示されている洗浄用スポンジホルダー１００においては、面ファスナー貼付部分３１１および面ファスナー２００はハート形板状部分として構成され、面着面２００Ｆが領域Ｒ２１およびＲ２２に分割されており、領域Ｒ２１の表面状態と、領域Ｒ２２の表面状態と、が異なる。
【００５５】
ハート形板状部分がこのように半々に分割される洗浄用スポンジホルダー１００においては、流行などに応じた製品のデザインの変更に容易に対応することができる。
【００５６】
図７に示されている洗浄用スポンジホルダー１００においては、面ファスナー貼付部分３１１および面ファスナー２００は正方形板状部分として構成され、面着面２００Ｆが領域Ｒ３１、Ｒ３２、Ｒ３３およびＲ３４に分割されており、領域Ｒ３１およびＲ３３の表面状態と、領域Ｒ３２およびＲ３４の表面状態と、が異なる。
【００５７】
正方形板状部分がこのように格子状に分割される洗浄用スポンジホルダー１００においては、簡素な正方形板状部分として構成される面ファスナー貼付部分３１１および面ファスナー２００を採用できるので、要求される価格に応じた製品の低コスト化に柔軟に対応することができる。
【００５８】
もちろん、正方形板状部分として構成される面ファスナー貼付部分３１１の上端面は平坦であるので、洗浄用スポンジ１０と、面ファスナー２００と、の脱着が洗浄用スポンジホルダー１００の老朽化などに起因して困難になった場合には、洗浄用スポンジ１０を面ファスナー貼付部分３１１の上端面に載置してもよい。
【００５９】
（実施の形態２）
つぎに、図８〜１０を参照しながら、本実施の形態の洗浄用スポンジホルダー１００について具体的に説明する。
【００６０】
ここに、図８は、本発明における実施の形態２の洗浄用スポンジホルダー１００の模式的な斜視図であり、図９は、本発明における実施の形態２の洗浄用スポンジホルダー１００の模式的な正面図であり、図１０は、本発明における実施の形態２の洗浄用スポンジホルダー１００の模式的な分解斜視図である。
【００６１】
図８および９には、洗浄用スポンジホルダー１００がすでに使用されている組立て後の状態が示されており、図１０には、洗浄用スポンジホルダー１００がまだ使用されていない組立て前の状態が示されている。
【００６２】
そして、理解が容易になるように、図９および１０においては、隠れている部分を破線で示している。
【００６３】
本実施の形態の洗浄用スポンジホルダー１００は、前述された実施の形態１の洗浄用スポンジホルダー１００に類似している。
【００６４】
ただし、本実施の形態においては、雌型部分３２２は、吸盤部３２０の、シンク壁面Ｗに吸着した吸着面３２０Ｆに平行な横孔である。
【００６５】
より具体的に説明すると、つぎの通りである。
【００６６】
面ファスナー貼付部３１０が有する雄型部分３１２は、面ファスナー貼付部分３１１の、面ファスナー２００が貼付される表側面に隣接する側面に突設された角柱状部分、およびそのような角柱状部分に接続され、先端が雌型部分３２２に挿入される円柱状部分として構成される部分である。
【００６７】
吸盤部３２０が有する雌型部分３２２は、吸盤部分３２１の、吸着面３２０Ｆとは反対側の表側面に突設された箇所に穿孔され、シンク壁面Ｗに吸着した吸着面３２０Ｆに平行な横孔として構成される部分である。このような雌型部分３２２の穿孔は、樹脂成型時の凹型形成、または樹脂成型後のドリル形成などを利用して行われる。
【００６８】
以上で説明された実施の形態２の洗浄用スポンジホルダー１００は、設計自由度の増大が促進されるという顕著な効果を奏する。
【００６９】
なお、面ファスナー貼付部３１０の個数は、複数であってもよく、たとえば、図１１に示されているように、二個であってもよい。
【００７０】
ここに、図１１は、本発明における実施の形態２の別の洗浄用スポンジホルダー１００（その一）の模式的な正面図である。
【００７１】
図１１には、洗浄用スポンジホルダー１００がすでに使用されている組立て後の状態が示されている。
【００７２】
そして、理解が容易になるように、図１１においては、隠れている部分を破線で示している。
【００７３】
面ファスナー貼付部３１０の個数がこのように二個である洗浄用スポンジホルダー１００においては、より多数の、またはより大型の洗浄用スポンジ１０を面着することができる。
【００７４】
また、吸盤部３２０の個数は、複数であってもよく、たとえば、図１２に示されているように、二個であってもよい。
【００７５】
ここに、図１２は、本発明における実施の形態２の別の洗浄用スポンジホルダー１００（その二）の模式的な正面図である。
【００７６】
図１２には、洗浄用スポンジホルダー１００がすでに使用されている組立て後の状態が示されている。
【００７７】
そして、理解が容易になるように、図１２においては、隠れている部分を破線で示している。
【００７８】
吸盤部３２０の個数がこのように二個である洗浄用スポンジホルダー１００においては、洗浄用スポンジホルダー１００のシンク壁面Ｗからの脱落を抑制することができる。
【００７９】
（実施の形態３）
つぎに、図１３を参照しながら、本実施の形態の洗浄用スポンジホルダー１００について具体的に説明する。
【００８０】
ここに、図１３は、本発明における実施の形態３の洗浄用スポンジホルダー１００の模式的な斜視図である。
【００８１】
図１３には、洗浄用スポンジホルダー１００がすでに使用されている組立て後の状態が示されている。
【００８２】
本実施の形態の洗浄用スポンジホルダー１００は、前述された実施の形態１の洗浄用スポンジホルダー１００に類似している。
【００８３】
ただし、本実施の形態においては、面ファスナー貼付部３１０の形状は、凹面形状である。
【００８４】
より具体的に説明すると、つぎの通りである。
【００８５】
面ファスナー貼付部３１０が有する面ファスナー貼付部分３１１は、貼付される面ファスナー２００の形状および材質などに応じて形成される部分である。すなわち、面ファスナー貼付部分３１１は、凹面形状である円形板状部分として構成され、同様に円形板状である面ファスナー２００が面着面２００Ｆとは反対側の裏側面で貼付される部分である。このような面ファスナー２００の貼付は、接着剤（図示省略）による固定方式の接着、または嵌め込み溝（図示省略）への交換可能方式の嵌め込みなどを利用して行われる。
【００８６】
以上で説明された実施の形態３の洗浄用スポンジホルダー１００は、洗浄用スポンジ１０が面ファスナー２００にしっかりと面着されるという顕著な効果を奏する。
【００８７】
なお、面ファスナー貼付部３１０の形状は、滑らかではない凹面形状であってもよく、たとえば、図１４に示されているように、開口部に向かって狭くなるテーパー形状であってもよい。
【００８８】
ここに、図１４は、本発明における実施の形態３の別の洗浄用スポンジホルダー１００の模式的な斜視図である。
【００８９】
面ファスナー貼付部３１０の形状がこのように開口部に向かって狭くなるテーパー形状である洗浄用スポンジホルダー１００においては、収縮させた洗浄用スポンジ１０を凹窩内に押し込んで角稜に係合させられるので、洗浄用スポンジ１０の洗浄用スポンジホルダー１００からの脱落を抑制することができる。
【００９０】
もちろん、かくの如き面ファスナー貼付部３１０には、洗浄用スポンジ１０の水切れを良化させる水切れスリット（図示省略）などが形成されていてもよい。
【産業上の利用可能性】
【００９１】
本発明における洗浄用スポンジホルダーは、よりコンパクトな構成を実現することが可能であり、家庭などで使用される通常の洗浄用スポンジの洗浄用スポンジホルダーに利用する目的に有用である。
【符号の説明】
【００９２】
１０  洗浄用スポンジ
２０  軟質素材部
３０  硬質素材部
１００  洗浄用スポンジホルダー
２００  面ファスナー
２００Ｆ  面着面
３００  本体
３１０  面ファスナー貼付部
３１１  面ファスナー貼付部分
３１２  雄型部分
３２０  吸盤部
３２０Ｆ  吸着面
３２１  吸盤部分
３２２  雌型部分
Ｗ  シンク壁面
【図１】
2016168113.tif 000003
【図２】
2016168113.tif 000004
【図３】
2016168113.tif 000005
【図４】
2016168113.tif 000006
【図５】
2016168113.tif 000007
【図６】
2016168113.tif 000008
【図７】
2016168113.tif 000009
【図８】
2016168113.tif 000010
【図９】
2016168113.tif 000011
【図１０】
2016168113.tif 000012
【図１１】
2016168113.tif 000013
【図１２】
2016168113.tif 000014
【図１３】
2016168113.tif 000015
【図１４】
2016168113.tif 000016